(57)【要約】【課題】鉄道を始めとする指定席を販売する交通機関において、座席料金の割引に現在と過去の予約率、イベント情報、他の交通機関を利用した他ルート情報を活用しておらず、十分な予約を確保できないまま空席で運行している場合がある。また予約の状況を考慮せず、予約率が一定数を超え、割引料金を適用しなくても予約確保できるにもかかわらず、割引料金を適用している場合がある。【解決手段】本発明は、座席予約率の向上を図る上での座席料金決定において、予め入手した、最寄駅、予想人員などのイベント情報、移動手段や料金などの他の交通機関を利用した他ルート情報、現在の予約率及び去年の予約率実績から、各情報の重み付けを考慮した指数を算出し、割引後の座席料金を決定することで必要な予約を確保できる。【選択図】図１
2009245403.tif 000002
【特許請求の範囲】
【請求項１】
予約率向上を図る上での座席料金決定において、現在の予約率、イベント情報、他の交通機関を利用した他ルート情報、去年までの実績から割引後の料金を決定するための、入力端末と計算サーバからなる座席料金算出システムであって、割引適用開始日を入力する入力端末と、現在の予約率、イベント情報、他の交通機関を利用した他ルート情報（以下、他ルート情報と記述する）、去年までの実績から割引後の料金を算出する計算サーバと、入力端末より入力された日付管理データを日付管理データベースに格納し、入力インターフェースを介して取得する座席種別毎の予約状況を予約状況データベースに格納する日付予約状況管理部と、入力インターフェースを介して取得したイベント情報をイベントデータベースに格納するイベント情報登録部と、入力インターフェースを介して取得した他の交通機関を利用した他ルート情報を他ルートデータベースに格納する他ルート情報登録部と、座席種別毎の予約率を格納した予約状況データベースの予約率情報に基づいて割引率を計算する予約状況割引率計算部と、前記イベントデータベースに格納されたイベント情報に基づいて割引率を計算するイベント割引率計算部と、前記他ルートデータベースに格納された他ルート情報に基づいて割引率を計算する他ルート割引率計算部と、去年の予約率を格納した実績データベースに格納された実績情報に基づいて割引率を計算する実績割引率計算部と、前記予約状況割引率計算部とイベント割引率計算部と他ルート割引率計算部と実績割引率計算部からなる割引率計算部と、前記割引率計算部で算出した割引率と予約開始時の設定料金から、割引後の料金を割引後料金データベースに格納する割引料金計算部とを備えることを特徴とする座席料金算出システム。
【請求項２】
前記予約状況データベースに格納した、特定座席の予約率と、座席全体の予約率から、前記予約状況割引率計算部で、総合予約率指数算出テーブルを用いて特定座席の予約率と座席全体の予約率を重み付けした総合予約率指数に数値化することを特徴とする、請求項１に記載の座席料金算出システム。
【請求項３】
前記イベント情報登録部は、イベント情報として、イベント名、会場場所、会場の最寄駅、イベント予想人員、イベント内容、イベント期間を入力インターフェースを介して取得して前記イベントデータベースに格納し、前記イベント割引率計算部でイベント指数テーブルを用いてイベント情報を重み付けしたイベント指数に数値化することを特徴とする、請求項１に記載の座席料金算出システム。
【請求項４】
前記他ルート情報登録部は、他ルート情報として、他ルートでの出発地および目的地、移動手段、料金を入力インターフェースを介して取得して前記他ルートデータベースに格納し、前記他ルート割引率計算部で他ルート指数テーブルを用いて他ルート情報を重み付けした他ルート指数に数値化することを特徴とする、請求項１に記載の座席料金算出システム。
【請求項５】
前記実績データベースに格納した、去年の予約率実績から、前記実績割引率計算部で実績指数テーブルを用いて去年の予約率実績を重み付けした実績指数に数値化することを特徴とする、請求項１に記載の座席料金算出システム。
【請求項６】
前記予約状況割引率計算部で算出された総合予約率指数と、イベント割引率計算部で算出されたイベント指数と他ルート割引率計算部で算出された他ルート指数と実績割引率計算部で算出された実績指数から、割引後の料金を算出することを特徴とする、請求項１、２、３、４、５に記載の座席料金算出システム。
【発明の詳細な説明】
【技術分野】
【０００１】
本発明は、鉄道等の座席料金を変更し座席予約率向上を図るために、特定座席の予約率、イベント情報、他ルート情報、実績情報から料金を算出する座席料金算出システム及び座席料金算出方法に関する。
【背景技術】
【０００２】
鉄道を始めとする指定席を販売する交通機関において、時間帯等の条件により指定席の予約が無く空席で運行している場合があり、収益悪化を招いている。収益改善に向けてはなるべく空席を作らないことが必要である。
【０００３】
このような空席を埋める方法として、特定期間に限定して予め設定された固定の割引料金で切符を販売することが行なわれている。また、特開２００４−２１３５５６号公報においては乗車券購入時に、自動券売機にてイベントチケットもあわせて提示することで、乗車券の割引を行なう方法について開示されている。それによると、自動券売機にて乗車券を購入する際にイベントチケットを投入すると、イベントチケットに記憶された情報を読み取り、最寄り駅までの往復乗車券が選択された場合、正規の往復料金から所定の金額を割り引いて乗車券を発売することとある。
【０００４】
【特許文献１】特開２００４−２１３５５６号公報
【発明の開示】
【発明が解決しようとする課題】
【０００５】
特許文献１は、イベントチケットに記憶されたイベントの開催地情報から最寄り駅を券売機の記憶部から読み出して、所定の金額を割引いて発券するものである。しかしながら、割引を行なう判断として、イベントチケットの有無及び、往復乗車券の購入のみで判断しており、他の交通機関の情報や現在の予約率を考慮しておらず、乗車率が一定数を超えているのにもかかわらず割引を適用してしまい、収益が悪化するといった問題があった。
【０００６】
そこで本発明は上記課題を考慮したものであり、現在と過去の予約率、イベント情報、他ルート情報を元に割引率を決定することで、収益改善に最適な料金を算出し、さらには予約率の向上を図る座席料金算出システム、および座席料金算出方法を提供することを主たる目的とする。
【課題を解決するための手段】
【０００７】
本発明は、座席予約率の向上を図る上での座席料金決定において、予め入手した、最寄駅、予想人員などのイベント情報、移動手段や料金などの他ルート情報、現在の予約率及び去年の予約率実績から割引後の料金を決定する。現在の予約率が目標の予約率を超えている場合は割引料金を適用しない。割引料金を適用する場合、乗車日までの日数によって割引率に反映する条件を変化させることで、座席料金を変更することが可能となる。例えば、乗車日まで２０日の時点では現在の予約率からの情報のみで座席料金を決定し、乗車日から１０日の時点で、現在の予約率に加えイベント情報と他ルート情報を考慮した座席料金を決定することで、より最適な座席料金を算出可能であり収益改善および予約率向上が図れる。
【発明の効果】
【０００８】
本発明によれば、イベント情報、他ルート情報など複数の条件を考慮した割引料金が設定可能であり、他の交通機関を利用する顧客も取り込むことが可能となり、収益改善および座席の予約率向上が期待できる。
【発明を実施するための最良の形態】
【０００９】
以下、本発明の実施の形態を詳細に説明する。
【００１０】
図１は、座席料金算出システム１０と関連する他システムのシステム構成図である。座席料金算出システム１０は、予約率向上を図る上での座席料金決定において、イベント情報、他ルート情報、現在の予約率および去年の実績から割引後の料金を決定するためのシステムである。割引後の料金を算出する一例として、鉄道の指定席料金に適用する場合について説明する。図２〜２１は本実施例におけるテーブル構成例であり、図２の総合予約率算出指数テーブル２００、図３の予約率テーブル３００、図４の特定座席の予約率指数テーブル４００、図５の座席全体の予約率指数テーブル５００は図１の予約状況データベース１１８に格納されており、図６のイベント指数テーブル６００、図7のイベント情報テーブル７００、図８の会場距離指数テーブル８００、図９の予想人員指数テーブル９００、図１０の内容指数テーブル１０００は図１のイベントデータベース１１６に格納されており、図１１の他ルート指数テーブル１１００、図１２の他ルート情報テーブル１２００、図１３の出発地距離指数テーブル１３００、図１４の目的地距離指数テーブル１４００、図１５の移動手段指数テーブル１５００、図１６の料金指数テーブル１６００は図１の他ルートデータベース１１７に格納されており、図１７の実績指数テーブル１７００、図１８の去年の予約率実績テーブル１８００、図１９の去年の予約率指数テーブル１９００は図１の実績データベース１１９に格納されており、図２０の割引率変更日管理テーブル２０００は図１の日付管理データベース１１５に格納されており、図２１の割引後料金テーブル２１００は図１の割引後料金データベース１２０に格納されている。図２２は本実施例におけるフローチャートである。
【００１１】
入力端末１０４より割引料金を変更する割引率変更日として乗車日までの日数を日付予約状況管理部を介し日付管理データベース１１５へ格納する。図２０の例では、割引率変更回次が１の設定日に３０日前を設定する。また、割引料金適用対象便の乗車日と便名、割引料金の開始、終了を判断する座席予約率も入力端末１０４から予約状況データベース１１８に登録する。図３の例では、乗車日に２００８年５月３日、便名にはＡ便、適用終了予約率に７０％と入力する。
【００１２】
イベント情報の登録は、イベント会場が公開しているイベントカレンダー情報などをイベント情報公開システム１００からイベント名、会場場所、会場への最寄り駅、イベントの予想人員、イベント期間の情報を入手し、イベント情報登録部１０７を介し、イベントデータベース１１６へ格納する。図７の例では、イベント名にＡイベント、会場場所に大阪市ホール、最寄り駅には新大阪、予想人員には１００，０００人、内容には展覧博覧会、期間には２００８年１月１日〜２００８年２月２０日と格納される。
【００１３】
他ルート情報の登録は、ルート検索システム１０１から割引料金適用対象区間の他ルートでの出発地、目的地、移動手段、料金の情報を入手し、他ルート情報登録部１０８を介し、他ルートデータベース１１７へ格納する。図１２の例では、鉄道での出発地に東京、鉄道での目的地に新大阪、鉄道料金に１６，０００円、出発地に羽田、目的に関西、手段に飛行機、料金に３０，０００円と格納される。
【００１４】
割引料金算出方法について図２２のフローチャート用いて説明する。
【００１５】
まず、日付予約状況管理部１０６により、割引料金適用対象便の特定座席及び全体の予約率を予約管理システム１０２から入手し、予約率テーブル３００へ格納する。図３の例では乗車日が２００８年５月３日、便名がＡ便の予約率（特定座席）が３０％、予約率（全体）が６０％となる。
【００１６】
日付予約状況管理部１０６により、予約率テーブル３００の予約率（全体）と適用終了予約率とを比較し、予約率（全体）が適用終了予約率を超えていたら、割引を行なわない。図３の例では予約率（全体）が６０％であり適用終了予約率７０％に達していない。適用終了予約率に達していない場合、割引率に反映する条件を決定するために割引率変更日を算出する。
【００１７】
日付予約状況管理部１０６により、日付管理テーブル２０００の割引率変更回次が１の設定日の値と予約率テーブル３００の乗車日から算出した日（以下、設定日時（１）と記述する）と、プログラム実行日の比較を行なう。プログラム実行日が設定日時（１）以前だった場合、割引を行なわない。設定日時（１）以降だった場合、予約状況割引率計算部１１０により総合予約率指数算出テーブル２００の総合予約率指数を算出する。例えば、図３の２００８年５月３日のＡ便を対象とする場合、図２０の割引率変更回次が１の設定日の値３０日前より割引率変更日は２００８年４月３日と算出する。プログラム実行日が２００８年５月１日とすると、２００８年４月３日以降であるため、予約状況割引率計算部１１０により総合予約率指数算出テーブル２００の総合予約率指数を算出する。
【００１８】
次に日付予約状況管理部１０６により、日付管理テーブル２０００の割引変更回次が２の設定日の値と予約率テーブル３００の乗車日から算出した日（以下、設定日時（２）と記述する）と、プログラム実行日の比較を行なう。プログラム実行日が設定日時（２）以前だった場合、割引後料金計算部１１４にて総合予約率指数と、予約管理サーバ１０２から取得する割引料金適用対象便と、区間毎の予約開始時の設定料金から、割引後の料金を算出し、割引後料金テーブル２１００へ格納する。例えば、図２の総合予約率指数３０％を割引率として２００８年５月３日のＡ便の東京―新大阪間の割引料金を算出すると１１、２００円となる。
【００１９】
設定日時（２）以降だった場合、イベント割引率計算部１１１によりイベント指数テーブル６００のイベント指数を算出する。続いて、他ルート割引率計算部１１２により他ルート指数テーブル１１００の他ルート指数を算出する。例えば、図３の２００８年５月３日のＡ便を対象とする場合、図２０の割引率変更回次が２の設定日の値２０日前より割引率変更日は２００８年４月１３日と算出する。プログラム実行日が２００８年５月１日とすると、２００８年４月１３日以降であるため、イベント割引率計算部１１１によりイベント指数テーブル６００のイベント指数を算出する。続いて、他ルート割引率計算部１１２により他ルート指数テーブル１１００の他ルート指数を算出する。
【００２０】
次に日付予約状況管理部１０６により、日付管理テーブル２０００の割引変更回次が３の設定日の値と予約率テーブル３００の乗車日から算出した日（以下、設定日時（３）と記述する）と、プログラム実行日の比較を行なう。プログラム実行日が設定日時（３）以前だった場合、割引後料金計算部１１４にて、総合予約率指数、イベント指数、他ルート指数と、予約管理サーバ１０２から取得する割引料金適用対象便と、区間毎の予約開始時の設定料金から割引後の料金を算出し、割引後料金テーブル２１００へ格納する。例えば、図２の総合予約率指数３０％と、図６のイベント指数０．５％、図１１の他ルート指数１．１％の和を割引率として２００８年５月３日のＡ便の東京―新大阪間の割引料金を算出すると１０、９４４円となる。
【００２１】
プログラム実行日が設定日時（３）以降だった場合、実績割引率計算部１１３により実績指数テーブル１７００の実績指数を算出する。例えば、図３の２００８年５月３日のＡ便を対象とする場合、図２０の割引率変更回次が３の設定日の値１０日前より割引率変更日は２００８年４月２３日と算出する。プログラム実行日が２００８年５月１日とすると、２００８年４月２３日以降であるため、実績割引率計算部１１３により実績指数テーブル１７００の実績指数を算出する。
【００２２】
次に割引後料金計算部１１４にて、総合予約率指数、イベント指数、他ルート指数、実績指数と、予約管理サーバ１０２から取得する割引料金適用対象便と、区間毎の予約開始時の設定料金から、割引後の料金を算出し、割引後料金テーブル２１００へ格納する。例えば、図２の総合予約率指数３０％と、図６のイベント指数０．５％、図１１の他ルート指数１．１％、図１７の実績指数１０％の和を割引率として２００８年５月３日のＡ便の東京―新大阪間の割引料金を算出すると９，３４４円となる。
【００２３】
図１の予約状況割引率計算部１１０の処理について説明する。予約率テーブル３００に格納されている予約率（特定座席）の値から、特定座席の予約率指数テーブル４００を参照して予約率指数（特定座席）を抽出し、その結果を総合予約率指数算出テーブル２００の座席種別ごとの予約率指数（特定座席）へ格納する。次に、予約率テーブル３００に格納されている予約率（全体）の値から、席全体の予約率指数テーブル５００を参照して予約率指数（全体）を抽出し、その結果を総合予約率指数算出テーブル２００の座席種別ごとの予約率指数（全体）へ格納する。求めた座席種別ごとの予約率指数の値により、重み付けを考慮した総合予約率指数を算出し、その結果を予約率指数テーブル２００へ格納する。
【００２４】
重み付けを考慮した総合予約率指数の算出方法としては座席種別ごとの予約率指数の平均、最大値、最小値などが考えられる。
【００２５】
例えば、図３の２００８年５月３日のＡ便の特定座席の予約率が３０％の場合、予約率指数（特定座席）を図４の特定座席の予約率指数テーブル４００より５０％と抽出し、同様に予約率（全体）が６０％の場合、予約率指数（全体）を図５の席全体の予約率指数テーブル５００より１０％と抽出する。その結果を図２の総合予約率算出テーブル２００へ格納する。求めた座席種別予約率指数の値より、予め定めておいた重み付けを考慮し、図２の総合予約率算出テーブル２００の総合予約率指数は３０％と算出される。
【００２６】
図１のイベント割引率計算部１１１の処理について説明する。任意の割引料金適用対象便の停車駅全てにおいて、イベント情報登録部１０７により登録されたイベントテーブル７００の最寄り駅と任意の割引料金適用対象便の停車駅が一致するイベントを検索する。一致したイベントについて、割引料金適用対象便の乗車日がイベント開催期間内であれば、会場場所、イベント予想人員、イベント内容のそれぞれについて重み付けを考慮したイベント指数を算出し、イベント指数テーブル６００へ格納する。割引料金適用対象便の乗車日がイベント開催期間外であれば、イベント指数は算出対象外とする。イベント要素毎の指数算出として、距離指数については会場場所と任意の割引料金適用対象便の停車駅との距離を求め、その距離から会場距離指数テーブル８００を参照して会場距離指数を抽出し、その結果をイベント指数テーブル６００のイベント毎の指数（距離）に格納する。イベント予想人員についても同様に、イベント予想人員から予想人員指数テーブル９００を参照して予想人員指数を抽出し、その結果をイベント指数テーブル６００のイベント要素毎の指数（予想人員）へ格納する。イベント内容についても同様に、内容指数テーブル１０００を参照して内容指数を抽出し、その結果をイベント指数テーブル６００のイベント要素毎の指数（内容）へ格納する。抽出したイベント要素毎の指数から重み付けを考慮したイベント指数を算出し、イベント指数テーブル６００へ格納する。
【００２７】
イベント要素毎の指数からイベント指数を算出するにはイベント要素毎の指数の平均、最大値、最小値などが考えられる。
【００２８】
例えば、図７の大阪市ホールで開催されるＡイベントの場合、イベント会場の最寄駅とイベント会場場所の距離が３０Ｋｍとすると、会場距離指数を図８の会場距離指数テーブル８００より１％と抽出し、同様に予想人員が１００，０００人の場合、予想人員指数を図９の予想人員指数テーブル９００より０．３％と抽出し、同様に、内容が展覧博覧会の場合、内容指数を図１０の内容指数テーブル１０００により０．２％と抽出する。その結果を図６のイベント指数テーブル６００へ格納する。求めたイベント要素毎の指数の値より、予め定めておいた重み付けを考慮し、図６のイベント指数テーブル６００のイベント指数は０．５％と算出される。
【００２９】
図１の他ルート割引率計算部１１２の処理について説明する。割引料金適用対象便の出発地、目的地毎に、他ルート情報登録部１０８により登録された他ルート情報テーブル１２００を参照し、同一出発地、目的地について、他ルートでの出発地、目的地、移動手段、料金差額のそれぞれについて重み付けを考慮した他ルート指数を算出し、他ルート指数テーブル１１００へ格納する。他ルート要素毎の指数算出として、出発地については、割引料金適用対象便での出発地と他ルートでの出発地の距離から出発地距離指数テーブル１３００を参照して出発地距離指数を抽出し、他ルート指数テーブル１１００のルートの要素毎の指数（出発地距離）へ格納する。目的地についても同様に、割引料金適用対象便での目的地と他ルートでの目的地の距離から目的地距離指数テーブル１４００を参照して目的地距離指数を抽出し、他ルート指数テーブル１１００のルートの要素毎の指数（目的地距離）へ格納する。移動手段については、他ルートでの移動手段から移動手段指数テーブル１５００を参照して移動手段指数を抽出し、他ルート指数テーブル１１００のルートの要素毎の指数（移動手段）へ格納する。料金については、割引料金適用対象便の料金と他ルート料金の差額から料金指数テーブル１６００を参照して料金指数を抽出し、他ルート指数テーブル１１００のルートの要素毎の指数（料金）へ格納する。他ルート情報テーブル１２００から複数のルートが抽出された場合、他ルート毎にルート要素毎の指数を抽出し、出発地距離指数、目的地距離指数、移動手段指数、料金指数の各々を１つの指数として算出し他ルート指数テーブル１１００のルートの要素毎の指数へ格納する。抽出したルートの要素毎の指数から重み付けを考慮した他ルート指数を算出し、他ルート指数テーブル１１００へ格納する。他ルート情報テーブル１２００から複数のルートが抽出された場合の出発地距離指数、目的地距離指数、移動手段指数、料金指数の各々を１つの指数として算出するには各ルートの要素毎の指数の平均、最大値、最小値などが考えられる。  ルートの要素毎の指数から他ルート指数を算出するにはルートの要素毎の指数の平均、最大値、最小値などが考えられる。
【００３０】
例えば、図１２の他ルート情報として抽出された割引料金適用対象便の東京―新大阪間の場合、手段が飛行機の羽田―関西間とバスの東京駅―大阪駅が抽出される。手段が飛行機の場合、出発地が東京と羽田であり、その距離が２０Ｋｍとすると、出発地距離指数を図１３の出発地距離指数テーブル１３００より１％と抽出し、目的地が新大阪と関西であり、その距離が５５Ｋｍとすると、目的地距離指数を図１４の目的地距離指数テーブル１４００より２％と抽出し、移動手段は飛行機であり、移動手段指数を図１５の移動手段指数テーブル１５００より１％と抽出し、割引料金適用対象便の料金と、飛行機料金の差が１４，０００円から、料金指数を図１６の料金指数テーブル１６００より０．３％と抽出する。次に手段がバスの場合についても同様に、ルートの要素毎の指数を抽出し、出発地距離指数、目的地距離指数、移動手段指数、料金指数の各々を１つの指数として算出し、出発地距離指数１％、目的地距離指数２％、移動手段指数１％、料金指数０．３％を図１１の他ルート指数テーブル１１００へ格納する。
【００３１】
求めたルート要素毎の指数の値より、予め定めておいた重み付けを考慮し、図１１の他ルート指数テーブル１１００の他ルート指数は１．１％と算出される。
【００３２】
図１の実績割引率計算部１１３の処理について説明する。去年の予約率実績テーブル１８００に格納されている、割引料金適用対象便の乗車日、便名と去年の乗車日、便名が一致する予約率実績を抽出し、その去年の予約率より去年の予約率指数テーブル１９００を参照して去年の予約率指数を抽出し、その結果を実績指数テーブル１７００の実績指数へ格納する。
【００３３】
例えば、図１７の２００８年５月３日のＡ便の去年の予約率は、図１８の去年の予約率実績テーブル１８００より６５％と抽出され、その抽出した去年の予約率より、去年の予約率指数を、去年の予約率指数テーブル１９００より１０％と抽出する。その結果を図１７の実績指数テーブル１７００へ格納する。
【００３４】
以上説明したように、現在の予約率、イベント情報、他ルート情報、去年の実績を考慮した割引料金が設定可能であり、収益改善および座席の予約率向上が期待できる。
【図面の簡単な説明】
【００３５】
【図１】座席料金算出システムと関連する他システムのシステム構成図。
【図２】総合予約率指数を算出するための総合予約率算出指数テーブル。
【図３】割引料金適用対象便の座席種別毎の予約率を格納する予約率テーブル。
【図４】特定座席の予約率から座席種別毎の予約率指数（特定座席）を抽出する特定座席予約率指数テーブル。
【図５】全体の予約率から座席種別毎の予約率指数（全体）を抽出する座席全体の予約率指数テーブル。
【図６】イベント指数を算出するためのイベント指数テーブル。
【図７】イベント情報を格納するイベント情報テーブル。
【図８】割引料金適用対象便の停車駅と会場場所の距離から会場距離指数を抽出する会場距離指数テーブル。
【図９】イベント予想人員から予想人員指数を抽出する予想人員指数テーブル。
【図１０】イベント内容から内容指数を抽出する内容指数テーブル。
【図１１】他ルート指数を算出するための他ルート指数テーブル。
【図１２】他ルート情報を格納する他ルートテーブル。
【図１３】割引料金適用対象便の出発地と他ルートでの出発地の距離から出発地距離指数を抽出する出発地距離指数テーブル。
【図１４】割引料金適用対象便の目的地と他ルートでの目的地の距離から目的地距離指数を抽出する目的地距離指数テーブル。
【図１５】他ルートでの移動手段から移動手段指数を抽出する移動手段指数テーブル。
【図１６】割引料金適用対象便の料金と他ルートでの料金差から料金指数を抽出する料金指数テーブル。
【図１７】割引料金適用対象便の実績指数を格納する実績指数テーブル。
【図１８】去年の予約率を格納する去年の予約率実績テーブル。
【図１９】去年の予約率から予約率指数を抽出する去年の予約率指数テーブル。
【図２０】割引料金適用対象便の乗車日から割引率変更日までの日数を格納する割引率変更日管理テーブル。
【図２１】割引後の料金を格納する割引後料金テーブル。
【図２２】割引料金算出の処理方法を示すフローチャート。
【符号の説明】
【００３６】
１０…座席料金算出システム、１００…イベント情報公開システム、１０１…ルート検索システム、１０２…予約管理システム、１０３…ネットワーク、１０４…入力端末、１０５…計算サーバ、１０６…日付予約状況管理部、１０７…イベント情報登録部、１０８…他ルート情報登録部、１０９…割引率計算部、１１０…予約状況割引率計算部、１１１…イベント割引率計算部、１１２…他ルート割引率計算部、１１３…実績割引率計算部、１１４…割引後料金計算部、１１５…日付管理データベース、１１６…イベントデータベース、１１７…他ルートデータベース、１１８…予約状況データベース、１１９…実績データベース、１２０…割引後料金データベース。
【図１】
2009245403.tif 000003
【図２】
2009245403.tif 000004
【図３】
2009245403.tif 000005
【図４】
2009245403.tif 000006
【図５】
2009245403.tif 000007
【図６】
2009245403.tif 000008
【図７】
2009245403.tif 000009
【図８】
2009245403.tif 000010
【図９】
2009245403.tif 000011
【図１０】
2009245403.tif 000012
【図１１】
2009245403.tif 000013
【図１２】
2009245403.tif 000014
【図１３】
2009245403.tif 000015
【図１４】
2009245403.tif 000016
【図１５】
2009245403.tif 000017
【図１６】
2009245403.tif 000018
【図１７】
2009245403.tif 000019
【図１８】
2009245403.tif 000020
【図１９】
2009245403.tif 000021
【図２０】
2009245403.tif 000022
【図２１】
2009245403.tif 000023
【図２２】
2009245403.tif 000024